(57)【要約】【課題】照明機能と画像投写機能とを有することによって多様な使い方が可能となるとともに、照明対象となる面を広い範囲に渡って適正な照度とすることができる照明装置を提供することにある。【解決手段】本発明の照明装置は、照明対象となる面の照明が可能な照明部１００と、照明対象となる面に画像の投写を可能とする画像投写部２００と、照明部１００及び画像投写部２００を電気的に制御する制御部とを有する構成となっている。【選択図】図１
2013152922.tif 000002
【特許請求の範囲】
【請求項１】
照明対象となる面の照明が可能な照明部と、
前記照明対象となる面に画像の投写が可能な画像投写部と、
前記照明部及び前記画像投写部を電気的に制御する制御部と、
を備えることを特徴とする照明装置。
【請求項２】
請求項１に記載の照明装置において、
前記制御部は、前記画像投写部の光源を点灯させることによって、前記画像投写部を補助照明部として機能させることを特徴とする照明装置。
【請求項３】
請求項２に記載の照明装置において、
前記制御部は、前記照明部が照明を行っている状態で前記照明対象となる面の照度を算出する機能と、算出した照度が適正な照度として設定されている適正照度範囲であるか否かを判定し、判定した結果に基づいて、前記照度が前記適正照度範囲となるように照度調整を行う機能とを有し、前記照度が前記適正照度範囲となるように前記照明部の明るさを調整することを特徴とする照明装置。
【請求項４】
請求項３に記載の照明装置において、
前記制御部は、前記画像投写部を補助照明部として機能させているときの前記照度が前記適正照度範囲の上限値を超えている場合又は前記適正照度範囲内の下限値未満である場合においては、前記照度が前記適正照度範囲となるように前記照明部の明るさを調整することを特徴する照明装置。
【請求項５】
請求項１〜４のいずれかに記載の照明装置において、
前記画像投写部は、前記照明部に一体的に設けられていることを特徴とする照明装置。
【請求項６】
請求項１〜４のいずれかに記載の照明装置において、
前記画像投写部は、前記照明部に着脱自在に設けられていることを特徴とする照明装置。
【請求項７】
請求項１〜６のいずれかに記載の照明装置において、
前記制御部は、投写すべき画像に対応する画像情報をネットワークから取得する機能を有することを特徴とする照明装置。
【請求項８】
請求項１〜７のいずれかに記載の照明装置において、
前記制御部は、投写すべき画像の種類の選択が可能な選択画面を投写する機能を有することを特徴とする照明装置。
【請求項９】
請求項１〜８のいずれかに記載の照明装置において、
前記照明部を支持するアーム部をさらに備えることを特徴とする照明装置。
【請求項１０】
請求項９に記載の照明装置において、
前記アーム部は、自在アームであることを特徴とする照明装置。
【請求項１１】
請求項９又は１０に記載の照明装置において、
前記照明対象となる面を有するとともに前記照明部及び前記画像投写部の収納が可能な収納部を有し、前記照明部を支持する支持体をさらに備え、
前記アーム部は、前記照明部と前記収納部との間に介在され、前記照明部及び前記画像投写部を前記収納部に収納した非使用状態と、前記照明部及び前記画像投写部を前記収納部から取り出した使用可能状態とのうちのいずれかの状態に選択的に設定可能とすることを特徴とする照明装置。
【請求項１２】
請求項１１に記載の照明装置において、
前記アーム部は、伸縮及び折り畳みの少なくとも一方が可能な構造を有しており、前記伸縮及び折り畳みの少なくとも一方が可能な構造を利用して、前記非使用状態と前記使用可能状態とのうちのいずれかの状態に選択的に設定可能とすることを特徴とする照明装置。
【請求項１３】
請求項１１又は１２に記載の照明装置において、
前記照明部及び前記画像投写部は、前記アーム部を中心に前記照明対象となる面に沿った平面上で回転可能となっていることを特徴とする照明装置。
【請求項１４】
請求項１１〜１３のいずれかに記載の照明装置において、
前記支持体は、机であって、前記照明対象となる面は、前記机の机上面であり、前記収納部は、前記机上面に設けられていることを特徴とする照明装置。
【請求項１５】
請求項１１〜１３のいずれかに記載の照明装置において、
前記支持体は、壁であって、前記照明対象となる面は、前記壁の表面であり、前記収納部は、前記壁の表面に設けられていることを特徴とする照明装置。
【請求項１６】
請求項１１〜１５のいずれかに記載の照明装置において、
前記収納部は、当該収納部を開閉可能とする蓋を有し、当該蓋は、前記照明部及び前記画像投写部を前記収納部に収納した非使用状態においては、前記収納部を覆うことを特徴とする照明装置。
【請求項１７】
照明対象となる面を有する天板と、
前記天板を支持する天板支持部と、
前記照明対象となる面の照明が可能な照明部と、
前記照明対象となる面に画像の投写が可能な画像投写部と、
前記照明部及び前記画像投写部を電気的に制御する制御部と、
前記天板に設けられ、前記照明部及び前記画像投写部の収納が可能な収納部と、
前記照明部と前記収納部との間に介在され、前記照明部及び前記画像投写部を前記収納部に収納した非使用状態と、前記照明部及び画像投写部を前記収納部から取り出した使用可能状態とのうちのいずれかの状態に選択的に設定可能とするアーム部と、
を備えることを特徴とする照明機能付き机。
【発明の詳細な説明】
【技術分野】
【０００１】
本発明は、照明機能と画像投写機能とを有する照明装置及び照明機能付き机に関する。
【背景技術】
【０００２】
従来、照明機能と画像投写機能とを有する卓上型の照明装置が知られている（例えば、特許文献１参照。）。特許文献１に開示されている照明装置（従来の照明装置という）は、光源と、当該光源からの光を、投写すべき画像情報に基づいて変調して画像を形成する光変調素子と、光変調素子から射出される画像を拡大投写する投写レンズとを有している。
【０００３】
このような構成を有する従来の照明装置を照明用として使用する場合は、投写すべき画像情報を与えない状態で光源からの光を投写するようにし、当該照明装置を画像投写用として使用する場合は、投写すべき画像情報に基づく画像を形成して、形成した画像を投写するようにしている。これにより、従来の照明装置は、当該照明装置を照明用として使用可能とするとともに画像投写用としても使用可能としている。また、従来の照明装置は自在アームによって照射角度や投写角度を自在に設定できるため、主には、学習机やオフィス用の机などに取り付けて使用することを想定した照明装置である。
【先行技術文献】
【特許文献】
【０００４】
【特許文献１】特開平８−１６３４７６号公報
【発明の概要】
【発明が解決しようとする課題】
【０００５】
しかしながら、従来の照明装置を学習机やオフィス用の机などで照明用として使用する場合においては、照明対象となる面（机上面）を広い範囲に渡って適正な照度とするように照明することは難しい。これは、従来の照明装置は、当該照明装置を照明用として使用する場合も画像投写用として使用する場合も同じ光源を用い、画像を投写する場合において画像を限られた範囲に投写するような構成となっているためである。
【０００６】
一方、学習机やオフィス用の机などにおいては、机上面を広い範囲に渡って適正な照度とするように照明を行うことが好ましい。このため、従来の照明装置は、学習机やオフィス用の机に使用するは不向きであり、用途が限られてしまうといった課題がある。
【０００７】
そこで本発明は、照明機能と画像投写機能とを有することによって多様な使い方が可能となるとともに、照明対象となる面を広い範囲に渡って適正な照度とすることができる照明装置及び照明機能付き机を提供することを目的とする。
【課題を解決するための手段】
【０００８】
［１］本発明の照明装置は、照明対象となる面の照明が可能な照明部と、前記照明対象となる面に画像の投写が可能な画像投写部と、前記照明部及び前記画像投写部を電気的に制御する制御部とを備えることを特徴とする。
【０００９】
本発明の照明装置によれば、照明機能と画像投写機能とを有することにより、多様な使い方が可能となる。また、照明部と画像投写部の両方を備える構成となっているため、照明部は一般的な照明装置としての機能を果たすことが可能となり、照明対象となる面を広い範囲に渡って適正な照度とすることができる。このため、本発明の照明装置は、学習机やオフィス用の机に好適な照明装置とすることができる。なお、本発明において「照度」というのは、照明対象となる面における平均照度を指している。
【００１０】
［２］本発明の照明装置においては、前記制御部は、前記画像投写部の光源を点灯させることによって、前記画像投写部を補助照明部として機能させることが好ましい。
【００１１】
このように、画像投写部を補助照明部として機能させることによって、照明対象となる面を広い範囲に渡って適正な照度とすることができる。
【００１２】
［３］本発明の照明装置においては、前記制御部は、前記照明部が照明を行っている状態で前記照明対象となる面の照度を算出する機能と、算出した照度が適正な照度として設定されている適正照度範囲であるか否かを判定し、判定した結果に基づいて、前記照度が前記適正照度範囲となるように照度調整を行う機能とを有し、前記照度が前記適正照度範囲となるように前記照明部の明るさを調整することが好ましい。
【００１３】
これにより、例えば、本発明の照明装置を学習机やオフィス用の机に用いる場合においては、机上面が照明対象となる面となるため、当該机上面を広い範囲に渡って、学習や事務処理を行う上で最適な照度とすることができる。また、照度を算出によって求めることにより、照度センサーなどを机上面に設ける必要がなくなり、机上面を有効利用することができる。
【００１４】
［４］本発明の照明装置においては、前記制御部は、前記画像投写部を補助照明部として機能させているときの前記照度が前記適正照度範囲の上限値を超えている場合又は前記適正照度範囲内の下限値未満である場合においては、前記照度が前記適正照度範囲となるように前記照明部の明るさを調整することが好ましい。
【００１５】
このように、照明部の側の明るさを調整することにより照度調整を行うことによって、仮に、画像投写部が画像投写を行っている場合、画像投写部の側において、明るさ（輝度）を低下させずに済むため、投写されている画像の品質に影響を与えることがない。
【００１６】
［５］本発明の照明装置においては、前記画像投写部は、前記照明部に一体的に設けられていることが好ましい。
【００１７】
このような構成とすることにより、画像投写を行いたい場合には即座に画像投写が可能となり、ユーザーとっては使い勝手のよい照明装置とすることができる。
【００１８】
［６］本発明の照明装置においては、前記画像投写部は、前記照明部に着脱自在に設けられていることも好ましい。
【００１９】
このような構成とすることにより、画像投写部が不要の場合は画像投写部を取り外しすることができる。このため、画像投写部を取り外した状態においては照明装置をコンパクトなものとすることができる。
【００２０】
［７］本発明の照明装置においては、前記制御部は、投写すべき画像に対応する画像情報をネットワークから取得する機能を有することが好ましい。
【００２１】
これにより、例えば、Ｗｅｂに存在する情報を取得可能とすれば、必要な情報を手軽に表示することができる。
【００２２】
［８］本発明の照明装置においては、前記制御部は、投写すべき画像の種類の選択が可能な選択画面を投写する機能を有することが好ましい。
【００２３】
これにより、様々な分野の情報を表示させることができ、本発明の照明装置の用途をより多様化することができる。
【００２４】
［９］本発明の照明装置においては、前記照明部を支持するアーム部をさらに備えることが好ましい。
【００２５】
このような構成とすることにより、本発明の照明装置を学習机などに容易に取り付けることができ、アーム部によって照明装置を学習机などに取り付けた状態としたときは、机上面と照明部及び画像投写部との間を適度な間隔に保持することができる。
【００２６】
[１０]本発明の照明装置においては、前記アーム部は、自在アームであることが好ましい。
【００２７】
このような構成とすることにより、本発明の照明装置を学習机などに取り付けた場合、照明部及び画像投写部を机上面において、自在に移動させることができるため、使い勝手のよい照明装置とすることができる。
【００２８】
［１１］本発明の照明装置においては、前記照明対象となる面を有するとともに前記照明部及び前記画像投写部の収納が可能な収納部を有し、前記照明部を支持する支持体をさらに備え、前記アーム部は、前記照明部と前記収納部との間に介在され、前記照明部及び前記画像投写部を前記収納部に収納した非使用状態と、前記照明部及び前記画像投写部を前記収納部から取り出した使用可能状態とのうちのいずれかの状態に選択的に設定可能とすることが好ましい。
【００２９】
このような構成とすることにより、照明部又は画像投写部を使用しない場合においては、照明部及び画像投写部を収納部に収納することによって当該照明部及び画像投写部を非使用状態とすることができる。また、照明部又は画像投写部を使用する場合おいては、収納部に収納されている照明部及び画像投写部を収納部から取り出す操作を行うだけで、当該照明部又は画像投写部を使用可能状態とすることができる。
【００３０】
［１２］本発明の照明装置においては、前記アーム部は、伸縮及び折り畳みの少なくとも一方が可能な構造を有しており、前記伸縮及び折り畳みの少なくとも一方が可能な構造を利用して、前記非使用状態と前記使用可能状態とのうちのいずれかの状態に選択的に設定可能とすることが好ましい。
【００３１】
アーム部がこのような構造を有することにより、当該照明部及び画像投写部を収納部に収納したり、照明部及び画像投写部を収納部から取り出したりする操作を容易に行うことができる。
【００３２】
［１３］本発明の照明装置においては、前記照明部及び前記画像投写部は、前記アーム部を中心に前記照明対象となる面に沿った平面上で回転可能となっていることが好ましい。
【００３３】
このような構成とすることにより、照明部及び画像投写部を照明対象となる面に沿った平面上で円弧を描くように移動させることができ、それによって、照明対象となる面において照明又は投写を行う位置を適宜変えることができる。
【００３４】
［１４］本発明の照明装置においては、前記支持体は、机であって、前記照明対象となる面は、前記机の机上面であり、前記収納部は、前記机上面に設けられていることが好ましい。
【００３５】
このような構成とすることにより、机上面に手軽に画像を投写することができる。これにより、例えば、比較的少人数で机（例えば会議用テーブルなど）を囲んで会議を行うような場合、会議に必要な画像を手軽に机上面に投写することができ、会議をスムーズに進行させることができる。なお、この明細書においては、机上面が形成される天板と、当該天板を支持する天板支持部（脚部又は台座部）とを有するものは、広い意味で「机」であるとする。従って、机には、学習机、オフィス用の机、会議用テーブル、販売店などの商談用テーブル、金融機関やホテルさらにはレジャー施設などの受け付け窓口に設置されている受付窓口用テーブルなども含まれるものとする。
【００３６】
［１５］本発明の照明装置においては、前記支持体は、壁であって、前記照明対象となる面は前記壁の表面であり、前記収納部は、前記壁の表面に設けられていることも好ましい。
【００３７】
このような構成とすることにより、壁の表面（壁面ともいう）に手軽に画像を投写することができる。これにより、例えば、会議などを行うような場合、会議に必要な画像を手軽に壁面に投写することができ、会議をスムーズに進行させることができる。なお、このような構成の照明装置は、会議だけでなく、種々の用途に使用することができる。例えば、例えば、公共施設やオフィスなどにおいて、例えば、不特定の人に何らかの情報を知らせるために、当該情報を定期間だけ表示するような場合などにも好適なものとなる。
【００３８】
［１６］本発明の照明装置においては、前記収納部は、当該収納部を開閉可能とする蓋を有し、当該蓋は、前記照明部及び前記画像投写部を前記収納部に収納した非使用状態においては、前記収納部を覆うことが好ましい。
【００３９】
このような蓋を設けることにより、照明部又は画像投写部が非使用状態であるときには、照明対象となる面全体をほぼフラットなものとすることができる。また、照明部や画像投写部を露出させないため、照明部や画像投写部に埃が付きにくくなり、照明部や画像投写部を保護することができる効果も得られる。なお、蓋は取り外しが可能な構造を有するものであってもよく、天板の表面に沿ってスライド可能な構造を有するものであってもよく、一つの辺が天板にヒンジで支持されていて当該ヒンジを軸として所定範囲の角度で回転する構造を有するものであってもよい。
【００４０】
［１７］本発明の照明機能付き机は、照明対象となる面を有する天板と、前記天板を支持する天板支持部と、前記照明対象となる面の照明が可能な照明部と、前記照明対象となる面に画像の投写が可能な画像投写部と、前記照明部及び前記画像投写部を電気的に制御する制御部と、前記天板に設けられ、前記照明部及び前記画像投写部の収納が可能な収納部と、前記照明部と前記収納部との間に介在され、前記照明部及び前記画像投写部を前記収納部に収納した非使用状態と、前記照明部及び画像投写部を前記収納部から取り出した使用可能状態とのうちのいずれかの状態に選択的に設定可能とするアーム部とを備えることを特徴とする。
【００４１】
本発明の照明機能付き机によれば、照明だけでなく画像の投写も行うことができるため、多様な使い方が可能となる。例えば、机上面（天板の表面）に手軽に画像を投写することができる。これにより、例えば、前述したように、比較的少人数で机（例えば会議用テーブルなど）を囲んで会議を行うような場合、会議に必要な画像を手軽に机上面に投写することができ、会議をスムーズに進行させることができる。
【００４２】
また、本発明の照明機能付き机によれば、照明部及び画像投写部の収納が可能な収納部を天板に有しているため、照明部又は画像投写部の非使用時においては、照明部及び画像投写部を収納部に収納した状態とすることができる。また、照明部又は画像投写部の使用時においては、収納部に収納されている照明部及び画像投写部を収納部から取り出す操作を行うだけで、当該照明部又は画像投写部を使用可能状態とすることができる。
なお、本発明の照明機能付き机においても、前記本発明の照明装置における各特徴のうち［２］〜［８］、[１０]、［１２］、［１３］、[１６]の特徴を有することが好ましい。
【図面の簡単な説明】
【００４３】
【図１】実施形態１に係る照明装置１０の外観構成を示す図。
【図２】図１における画像投写部２００の光学系の構成を模式的に示す図。
【図３】実施形態１に係る照明装置１０の電気的な制御を説明するブロック図。
【図４】実施形態１に係る照明装置１０の取り付け例を示す図。
【図５】実施形態１に係る照明装置１０の基本的な動作を説明するために示すフローチャート。
【図６】室内の反射率と部屋指数から照明率を取得可能な照明率表を示す図。
【図７】実施形態２に係る照明装置２０の外観構成を示す図。
【図８】実施形態２に係る照明装置２０の電気的な制御を説明するブロック図。
【図９】実施形態２に係る照明装置２０における動作を説明するフローチャート。
【図１０】図９に示すフローチャートにおけるステップＳ３２において、ユーザーがメニュー選択を行った場合の処理の流れを説明するフローチャート。
【図１１】実施形態３に係る照明装置３０を説明するために示す図。
【図１２】実施形態３に係る照明装置３０の主にアーム部３５０を拡大して示す図である。
【図１３】照明部１００又は画像投写部２００を非使用状態と使用可能状態とのうちのいずれかの状態に選択的に設定可能とするための操作例について説明する図。
【図１４】照明部１００又は画像投写部２００を非使用状態と使用可能状態とのうちのいずれかの状態に選択的に設定可能とするための操作例について説明する図。
【図１５】実施形態４に係る照明装置４０を説明するために示す図。
【図１６】実施形態４に係る照明装置４０の変形例を説明するために示す図。
【図１７】実施形態５に係る照明機能付き机５０を説明するために示す図である。
【図１８】画像投写部２００をランプ型とした場合を説明するために示す図。
【発明を実施するための形態】
【００４４】
以下、本発明の照明装置及び照明機能付き机の実施形態について説明する。
【００４５】
［実施形態１］
図１は、実施形態１に係る照明装置１０の外観構成を示す図である。実施形態１に係る照明装置１０は、照明対象となる面（例えば机上面）の照明が可能な照明部１００と、照明対象となる面に画像の投写が可能となるように照明部１００に隣接して設けられている画像投写部２００と、照明部１００を例えば左右方向及び上下方向など照明部１００を自在に動かすことができるように支持するアーム部３００と、実施形態１に係る照明装置１０を机などに固定するための固定部４００と、各種の操作が可能な操作部５００と、電源コンセント（図示せず。）に接続可能な接続コード６００と、を備えている。また、照明部１００は、照明対象となる面までの距離を計測する距離計測部１２０を有し、画像投写部２００は、投写レンズ２３０を有している。なお、アーム部３００は自在アームとする。このため、「アーム部３００」を「自在アーム３００」と表記する場合もある。
【００４６】
なお、図１においては、画像投写部２００は照明部１００に隣接した構成となっているが、隣接ではなく、照明部１００と画像投写部２００との間には何らかの部材が介在されているような構成であってもよい。
【００４７】
照明部１００は、内部に光源１１０（照明用光源１１０という）を有し、当該照明用光源１１０を点灯させることによって、通常の照明装置として機能する。照明用光源１１０は特に限定されるものでなく、例えば、白熱電球、蛍光灯又はＬＥＤランプなどが使用可能である。
また、画像投写部２００は照明部１００に一体的に設けられており、照明部１００とともに移動可能となっている。
【００４８】
操作部５００は、実施形態１に係る照明装置１０のおおもとのスイッチとして機能するメインスイッチ５１０と、画像投写の開始を可能とするための画像投写開始スイッチ５２０とを有している。なお、操作部５００にはこれらのスイッチの他に、図示は省略するが、フォーカス調整用のボタンなど各種の操作ボタンなども設けられている。
【００４９】
メインスイッチ５１０は、照明部１００の照明用光源１１０を点灯させるとともに制御部５５０（図３参照。）を起動させて、各種の制御を可能とするためのスイッチである。なお、制御部５５０が行う制御については後述する。また、画像投写開始スイッチ５２０は、画像投写部２００によって画像の投写を開始させるためのスイッチである。
【００５０】
図２は、図１における画像投写部２００の光学系の構成を模式的に示す図である。画像投写部２００は、単板式の液晶プロジェクターとほぼ同様の構成となっており、光源部２１０と、液晶光変調素子２２０と、投写レンズ２３０とを有している。
【００５１】
光源部２１０は、白色発光ダイオードなどからなる光源２１１（画像投写用光源２１１という）と、コリメーター光学系２１２と、偏光変換素子２１３とを備える。画像投写用光源２１１は、ここでは詳細な説明を省略するが、赤色光、緑色光及び青色光を含む光を射出する。
【００５２】
コリメーター光学系２１２は、画像投写用光源２１１から射出される光を平行化する光学素子である。偏光変換素子２１３は、コリメーター光学系２１２を通過する光を偏光変換する素子である。当該偏光変換素子２１３は、入射した光の偏光成分のうち一方の直線偏光成分をそのまま透過し、他方の直線偏光成分を光軸２１０ａｘに垂直な方向に反射する偏光分離層と、当該偏光分離層で反射された他方の直線偏光成分を光軸２１０ａｘに平行な方向に反射する反射層と、当該反射層で反射された他方の直線偏光成分を一方の直線偏光成分に変換する位相差板とを有している。
【００５３】
液晶光変調素子２２０は、光源部２１０からの光を、投写すべき画像情報に応じて変調してフルカラー画像を形成する光変調素子である。当該液晶光変調素子２２０は、カラーフィルター（図示せず）を有する。当該カラーフィルターは、反射型のダイクロイックフィルターを有するベイヤー配列のカラーフィルターからなり、光源部２１０からの光を画素ごとに、赤色光、緑色光及び青色光に分離する色分離光学系としての機能を有する。なお、色分離光学系としては他の色分離光学系を用いてもよい。
【００５４】
また、液晶光変調素子２２０は、偏光変換素子２１３側に配置される入射側偏光板(図示せず)と、投写レンズ２３０側に配置される射出側偏光板(図示せず)とをさらに有する。これら入射側偏光板、液晶光変調素子２２０及び射出側偏光板によって、各色光の光変調が行われる。このような液晶光変調素子２２０は、液晶光変調素子駆動部２２１（図３参照。）によって駆動される。
また、投写レンズ２３０は、液晶光変調素子２２０によって形成された画像を投写面に拡大投写する。
【００５５】
図３は、実施形態１に係る照明装置１０の電気的な制御を説明するブロック図である。実施形態１に係る照明装置１０は制御部５５０を有し、制御部５５０は、メインスイッチ５１０又は画像投写開始スイッチ５２０が操作されると、これらメインスイッチ５１０又は画像投写開始スイッチ５２０の操作に応じて、照明用光源１１０、画像投写用光源２１１、距離計測部１２０、液晶光変調素子駆動部２２１などを制御する。
【００５６】
次に、制御部５５０が行う制御について具体的に説明する。メインスイッチ５１０がオンされると、制御部５５０は照明部１００の照明用光源１１０を点灯させるとととともに、距離計測部１２０に距離計測指示を出す。これによって、距離計測部１２０は照明対象となる面までの距離計測を行う。また、画像投写部２００に対する種々の制御が可能となる。ただし、メインスイッチ５１０がオンした段階では、制御部５５０は画像投写部２００の画像投写用光源２１１の点灯／消灯の制御が可能となるものとする。なお、実際の画像を投写させるための制御（投写すべき画像情報に基づいて液晶光変調素子２２０を駆動する制御）は、画像投写開始スイッチ５２０をオンすることにより可能となるものとする。
【００５７】
また、制御部５５０は、上記したように照明用光源１１０、距離計測部１２０、画像投写用光源２１１、液晶光変調素子駆動部２２１を制御する機能の他に、距離計測部１２０によって計測された距離に基づいて照明対象となる面の平均照度を算出する機能を有している。また、制御部５５０は、Ｗｅｂに存在する情報の取得が可能なＷｅｂ情報取得機能、テレビジョン放送（以下、ＴＶ放送という）などを受信可能な通信機能などを有している。また、制御部５５０は、記憶部（図示せず）を有している。
【００５８】
図４は、実施形態１に係る照明装置１０の取り付け例を示す図である。図４に示すように、実施形態１に係る照明装置１０は、学習机７００に取り付けられている。このため、照明装置１０においては、照明対象となる面は、学習机７００の机上面７１０である。また、画像投写部２００は、照明対象となる面（机上面７１０）に画像の投写が可能となるように照明部１００に取り付けられている。
【００５９】
図５は、実施形態１に係る照明装置１０の基本的な動作を説明するために示すフローチャートである。なお、図５に示すフローチャートは、主には制御部５５０が行う動作を説明するものであるが、ユーザーが行う操作も一部含まれている。
【００６０】
メインスイッチ５１０がユーザーによってオンされると（ステップＳ１）、制御部５５０は照明用光源１１０を点灯させる（ステップＳ２）。これにより、照明装置１０は照明として機能する状態となるとともに、画像投写部２００の画像投写用光源２１１の制御が可能となる状態となる。このように、実施形態１に係る照明装置１０が照明として機能している状態において、制御部５５０は、距離計測部１２０に対して距離計測指示を出し（ステップＳ３）、計測された距離を用いて照明対象となる面すなわち机上面７１０の平均照度を算出する（ステップＳ４）。
【００６１】
そして、算出した平均照度が適正照度範囲であるか否かを判定し、その判定結果に基づいて、平均照度が適正照度範囲となるような照度調整を行う（ステップＳ５〜ステップＳ９）。ところで、学習机７００において机上面７１０の平均照度は、５００〜１０００ｌｘ（ルクス）が適正な照度の範囲（適正照度範囲という。）であるとされている。このため、ここでは、机上面７１０の平均照度が５００〜１０００ｌｘの範囲内にあるか否かを判定し、その判定結果に基づいて照度調整を行う。
【００６２】
具体的には、まずは、平均照度が５００ｌｘ以上であるか否かを判定し（ステップＳ５）、平均照度が５００ｌｘ以上である場合（ステップＳ５において「Ｙｅｓ」の場合）には、平均照度が１０００ｌｘ以下であるか否かを判定する（ステップＳ６）。ここで、平均照度が１０００ｌｘを超えている場合（ステップＳ６における「Ｎｏ」の場合）には、平均照度が適正照度範囲（５００〜１０００ｌｘの範囲）となるように光源（この場合、照明用光源１１０）の明るさを制御する（ステップＳ７）。
【００６３】
一方、ステップＳ５において、平均照度が５００ｌｘ未満であると判定された場合（ステップＳ５において「Ｎｏ」の場合）には、画像投写部２００の画像投写用光源２１１を点灯させて、画像投写部２００を補助照明部として機能させる。これにより、補助照明が開始される（ステップＳ８）。なお、この場合、画像投写部２００は机上面７１０に白色光による照明がなされる。そして、この状態で平均照度を再計算し（ステップＳ９）、再計算によって得られた平均照度（照明部１００による平均照度と画像投写部２００による平均照度とを合計した平均照度）が１０００ｌｘ以下か否かを判定する（ステップＳ６）。
【００６４】
そして、再計算によって得られた平均照度が１０００ｌｘを超えている場合（ステップＳ６において「Ｎｏ」の場合）には、平均照度が適正照度範囲（５００〜１０００ｌｘの範囲）となるように光源の明るさを制御する（ステップＳ７）。なお、ここで行う光源の明るさの制御は、照明用光源１１０の明るさ又は画像投写用光源２１１の明るさの少なくとも一方の明るさを低下させる制御であるが、この場合、照明用光源１１０の明るさを低下させることが好ましい。なお、以下では、照明用光源１１０の明るさ」を「照明部１００の明るさ」というように表記する場合もあり、「画像投写用光源２１１の明るさ」を「画像投写部２００の明るさ」と表記する場合もある。
【００６５】
続いて、制御部５５０は、画像投写開始スイッチ５２０がオンであるか否かを判定し（ステップＳ１０）、画像投写開始スイッチ５２０がオンでない場合（ステップＳ１０において「Ｎｏ」の場合）には、メインスイッチ５１０がオフか否かを判定する（ステップＳ１３）。ここで、メインスイッチ５１０がオフとなった場合（ステップＳ１３において「Ｙｅｓ」の場合）には、照明用光源１１０及び画像投写用光源２１１を消灯する。また、ステップＳ１３において、メインスイッチ５１０がオフでない場合（ステップＳ１３において「Ｎｏ」の場合）には、ステップＳ１０に戻り、再び、画像投写開始スイッチ５２０がオンか否かを判定する。
【００６６】
一方、ステップＳ１０において、画像投写開始スイッチ５２０がオンとなった場合（ステップＳ１０において「Ｙｅｓ」の場合）には、投写すべき画像に対応する画像情報に基づいて画像投写用光源２１１からの光を変調することにより、投写すべき画像を生成して、生成した画像を投写する（ステップＳ１１）。例えば、Ｗｅｂサイトから情報の取得が可能であれば、当該Ｗｅｂサイトから取得した情報に基づく画像を机上面７１０に投写する。なお、机上面７１０に画像を投写する際の投写レンズ２３０のフォーカス調整は、例えば、フォーカス調整ボタン（図示せず。）を操作することによって可能となる。
【００６７】
そして、画像投写開始スイッチ５２０がオフか否かを判定し（ステップＳ１２）、画像投写開始スイッチ５２０がオフでない場合（ステップＳ１２において「Ｎｏ」の場合）には、画像投写を継続し、画像投写開始スイッチ５２０がオフの場合（ステップＳ１２において「Ｙｅｓ」の場合）には、画像投写を停止する。そして、メインスイッチ５１０がオフか否かを判定する（ステップＳ１３）。
【００６８】
ところで、机上面７１０における平均照度は、複数個の照度センサーを机上面７１０の所定位置にそれぞれ設け、当該複数個の照度センサーによって得られたそれぞれの照度に基づいて検出することができる。また、平均照度ではなく、机上面７１０のある特定箇所における照度を検出する場合には、当該特定箇所に照度センサーを設けるようにすればよいが、いずれも場合にも、机上面７１０に照度センサーを設けると、当該照度センサーはノートや教科書などにより覆われてしまい、適正な平均照度を検出することができない。
【００６９】
そこで、実施形態１に係る照明装置１０においては、下記（１）式により、机上面７１０の平均照度を求め、求められた平均照度に基づいて照度調整（図５におけるステップＳ５〜ステップＳ９）を行う。
【００７０】
平均照度（ｌｘ）＝（ランプ光束（ｌｍ）×照明部の光源数×照明部の数×照明率×保守率）／机上面の面積（ｍ２)・・・（１）
【００７１】
なお、（１）式において、「光源としてのランプ光束（ルーメン（ｌｍ））」、「照明部の光源数（照明部１００の光源数）」、「照明部の数（照明部１００の数）」、「保守率」、「机上面の面積（机上面７１０の奥行×机上面７１０の幅）」は既知データである。ここで、保守率というのは、環境によるランプの汚れなどによって、時間の経過とともにランプの光束（ｌｍ）が低下して行くことを数値化したものであり、使用環境の塵埃の状況などによって数値を設定することができる。例えば、使用環境が良ければ保守率は「０．７４」、使用環境が普通であれば保守率は「０．７０」、使用環境が悪ければ保守率は「０．６２」というように設定することができる。
【００７２】
このため、（１）式において、照明率が分かれば平均照度を求めることができる。実施形態１に係る照明装置１０においては、照明率は図６に示す照明率表より取得する。図６に示す照明率表は、室内反射率と部屋指数とから照明率の取得が可能となっている。
【００７３】
ここで、室内反射率は、学習机７００が置かれている部屋の天井、壁及び床などの材質、色などによって設定されている値である。なお、「床」は学習机７００の机上面７１０と置き換えることができる。ここでは、学習机７００が設置されている部屋の天井の反射率が「７０％」、壁の反射率が「５０％」、机上面７１０の反射率が「１０％」であるとする。
【００７４】
一方、部屋指数は、下記（２）式によって求めることができる。なお、ここでは、照明対象となる面が机上面７１０であるので部屋指数を「机上面指数」ともいう。
【００７５】
机上面指数（部屋指数）＝机上面の面積／(（机上面の奥行＋机上面の幅）×照明部の
高さ)・・・（２）
【００７６】
なお、（２）式において、「机上面の面積」及び「机上面の奥行＋机上面の幅」は既知データである。また、「照明部の高さ」というのは、距離計測部１２０によって計測された値を用いることができる。これらの値を用いることにより、（２）式から机上面指数（部屋指数）を求めることができる。
【００７７】
そして、求められた机上面指数と室内反射率とから、図６に示す照明率表より照明率を取得する。なお、図６において、照明率は、小数点以下の数値が示されている。ここで、（２）式より机上面指数が「２．５」と求められているとする。したがって、（２）式によって求められた机上面指数「２．５」と、学習机７００が設置されている部屋の天井の反射率「７０％」、壁の反射率「５０％」、机上面７１０の反射率「１０％」とから、図６に示す照明率表より、照明率「０．５８」を取得することができる。
【００７８】
このようにして、照明率が求まれば、求められた照明率を（１）式に代入することによって、平均照度を求めることができる。
【００７９】
なお、図５に示すフローチャートのステップＳ４における平均照度算出の処理は、画像投写部２００が補助照明を行っていない状態において平均照度を算出する処理であるが、画像投写部２００が補助照明を行っている際の平均照度算出（ステップＳ９における平均照度再計算）を行う場合には、照明部１００による平均照度（上記（１）式によって算出される平均照度）に、画像投写部２００による平均照度を加えた合計の平均照度を算出する。
【００８０】
この場合、画像投写部２００による平均照度は次のようにして算出する。すなわち、投写部２００による投写輝度（ｌｍ）は決まっているので、画像投写部２００による机上面７１０の平均照度は、「投写輝度（ｌｍ）」を「机上面７１０の面積（ｍ２）」で割った値として求めることができる。そこで、画像投写部２００が補助照明を行っている場合の平均照度は、照明部１００による平均照度（上記（１）式によって算出される平均照度）に、上記のように求められた画像投写部２００による机上面７１０の平均照度を加えた合計の平均照度として求めることができる。
【００８１】
なお、合計の平均照度が１０００ｌｘを超えた場合に、ステップＳ７において、光源の明るさを低下させる処理を行う際は、照明部１００の明るさを低下させることが好ましい。これは、画像投写部２００の明るさ（輝度）を低下させると、画像投写部２００において投写されている投写画像の品質を低下させてしまうからである。このため、平均照度を低下させるような照度調整を行う場合には、照明部１００側の明るさを低下させるようにすることが好ましい。また、仮に、机上面７１０の平均照度が５００ｌｘ未満であった場合にも、画像投写部２００の明るさは変化させずに、照明部１００を明るくするような制御を行うことが好ましい。
【００８２】
ただし、画像投写部２００を補助光源としてのみ用いている場合、すなわち、画像投写部２００が実際の画像投写を行っていない場合には、照明部１００の明るさを低下させるとともに画像投写部２００の明るさをも低下させるようにしてもよく、また、画像投写部２００のみの明るさを低下させるようにしてもよい。
【００８３】
以上説明したように、実施形態１に係る照明装置１０においては、机上面７１０の平均照度を算出し、算出した平均照度が適正照度範囲内であるか否かを判定し、その判定結果に基づいて、平均照度が適正照度範囲となるような照度調整を行うようにしているため、机上面７１０の平均照度を学習に適した適正照度範囲に保持することができる。
【００８４】
また、机上面７１０の平均照度を算出し、算出した平均照度が適正照度範囲内であるか否かを判定した結果、机上面７１０の平均照度が適正照度範囲の下限値に達していない場合においては、画像投写部２００により補助照明を行うため、机上面７１０の照度を高くすることができる。なお、画像投写部２００により補助照明を行った場合、照明部１００による平均照度と画像投写部２００による平均照度との合計の平均照度が、適正照度範囲を超えないように照明部１００の明るさを制御するため、机上面７１０の照度を適正照度範囲に保持することができる。
【００８５】
また、実施形態１に係る照明装置１０においては、必要に応じて画像投写部２００で画像の投写を行うことができるため、例えば、学習に必要な情報などを、例えばＷｅｂサイトから取得し、取得した情報を机上に投写することができる。
【００８６】
［実施形態２］
実施形態２に係る照明装置２０においては、投写すべき画像の種類を選択可能とする。なお実施形態２に係る照明装置２０において投写可能な画像の種類は、Ｗｅｂサイトに存在する情報の他に、ＴＶ放送、ソフトウエア―キーボード上などからユーザーが入力するメモ情報であるとする。
【００８７】
また、ユーザーが実施形態２に係る照明装置２０に対して行う操作のうち、一部の操作は、ユーザーが何らかの動作（ジェスチャー）を行い、ユーザーが行った動作を撮像部１３０（図７参照。）が撮像し、その撮像画像データを制御部５５０に与え、制御部５５０では、撮像データに基づいて所定の制御を行う。
【００８８】
図７は、実施形態２に係る照明装置２０の外観構成を示す図である。実施形態２に係る照明装置２０が実施形態１係る照明装置１０と異なるのは、撮像部１３０と音声出力部（スピーカー）１４０を有している点であり、実施形態１に係る照明装置１０と同一構成要素には同一符号が付されている。なお、撮像部１３０及び音声出力部１４０の取り付け位置は、図７に示す位置に限られるものではない。また、画像投写部２００の光学系は実施形態１に係る照明装置１０と同様の構成となっているものとする。
【００８９】
図８は、実施形態２に係る照明装置２０の電気的な制御を説明するブロック図である。なお、図８に示す構成図は、基本的には図１と同様であるが、撮像部１３０及び音声出力部１４０を有している点が実施形態１に係る照明装置１０と異なる。
【００９０】
図９は、実施形態２に係る照明装置２０における動作を説明するフローチャートである。図９に示すフローチャートは図５に示すフローチャートと同様に、主には制御部５５０が行う動作を説明するものであるが、ユーザーが行う操作も一部含まれている。なお、ステップＳ２１〜Ｓ３０までは、図５におけるステップＳ１〜Ｓ１０と同じであるため、説明は省略する。
【００９１】
図９に示すフローチャートにおいて、画像投写開始スイッチ５２０がオンと判定した場合（ステップＳ３０において「Ｙｅｓ」の場合）について説明する。画像投写開始スイッチ５２０がオンの場合には、投写すべき画像の種類の選択が可能な選択画面（メニュー選択画面という。）を投写する（ステップＳ３１）。メニュー選択画面を投写した後、制御部５５０は、当該メニュー選択画面からユーザーが画像の種類を選択したか否かを判定する（ステップＳ３２）。
【００９２】
ここで、ユーザーが画像の種類を選択した場合（ステップＳ３２において「Ｙｅｓ」の場合）には、「Ａ」のパス（図１０参照）に進み、画像の種類を選択しなかった場合（ステップＳ３２において「Ｎｏ」の場合）には、画像投写開始スイッチ５２０がオフか否かを判定する（ステップＳ３３）。画像投写開始スイッチ５２０がオフの場合（ステップＳ３３において「Ｙｅｓ」の場合）には、メインスイッチ５１０がオフか否かを判定する（ステップＳ３４）。ステップＳ３４以降は、図５におけるステップＳ１３以降の処理と同じであるので説明は省略する。
【００９３】
図１０は、ユーザーがメニュー選択画面から画像の種類を選択した場合の処理の流れを説明するフローチャートである。なお、メニュー選択画面においては、選択可能な画像の種類として、「Ｗｅｂ情報」、「ＴＶ放送」、「メモ情報」の３種類が用意されていて、ユーザーはこれら３種類の中からいずれかを選択可能となっているものとする。
【００９４】
なお、投写されているメニュー選択画面から画像の種類を選択する際は、例えば、ユーザーがメニュー選択画面に表示されている画像の種類を指などで指示する動作を行う。ユーザーが行った動作は、撮像部１３０によって撮像され、その撮像データが制御部５５０に与えられる。これにより、制御部５５０においては、ユーザーがどの画像を選択したかを判定することができる。
【００９５】
図１０において、まず、ユーザーが「Ｗｅｂ情報」を選択したか否かを判定し（ステップＳ４１）、ユーザーがＷｅｂ情報を選択した場合（ステップＳ４１において「Ｙｅｓ」の場合）には、ユーザーの選択したＷｅｂ情報を投写する（ステップＳ４２）。この場合、例えば、学習に関係する資料のあるページなどが表示されているものとする。
【００９６】
このようなＷｅｂ情報を投写したあと、ユーザーが何らかの制御動作（例えば、資料のページめくり動作など）を行っているか否かを判定し（ステップＳ４３）、何らかの制御動作を行っている場合（ステップ４３において「Ｙｅｓ」の場合）には、ユーザーが行っている制御動作に対応した画面制御を行う（ステップＳ４４）。この場合の画面制御というのは、例えば、ユーザーがページをめくる動作を行うと、その動作に対応して、資料のページがめくられるように制御することである。なお、この場合も、ユーザーの行う動作（ページめくり動作）は撮像部１３０によって撮像され、制御部５５０は撮像部１３０から出力される撮像データに基づいてユーザーの動作を判定して、ユーザーが行うページをめくる動作に対応して、資料のページがめくられるような画面制御を行う。
【００９７】
一方、ユーザーが上述したような制御動作を行っていないと判定した場合（ステップＳ４３において「Ｎｏ」の場合）は、現時点において投写されている画像、すなわち、メニュー選択画面から選択されている画像（選択画像という）の投写終了指示があるか否かを判定する（ステップＳ４５）。
【００９８】
ここで、制御部５５０は、選択画像投写終了指示があると判定した場合（ステップＳ４５において「Ｙｅｓ」の場合）には、当該選択画像の投写を終了するとともに、音声の出力が行われている場合には、音声の出力も終了する（ステップＳ４６）。そして、その後、「Ｂ」のパスに進み、図９のステップＳ３３を行う。なお、図１０におけるステップＳ４５において選択画像投写終了指示がない場合（「Ｎｏ」の場合）には、「Ｃ１」のパスに進んでステップＳ４２に戻り、Ｗｅｂ情報の投写を継続する。
【００９９】
一方、ステップＳ４６において、「Ｂ」のパスに進んだのち、図９におけるステップＳ３３に進んだ場合には、ステップＳ３３において、画像投写開始スイッチ５２０がオフか否かを判定する。ここで、画像投写開始スイッチ５２０がオフの場合（ステップＳ３３において「Ｙｅｓ」の場合）には、ステップＳ３４に進む。一方、画像投写開始スイッチ５２０がオフでない場合（ステップＳ３３において「Ｎｏ」の場合）には、ステップＳ３１に戻り、再び、メニュー選択が可能となる。
【０１００】
ところで、図１０におけるステップＳ４１において、ユーザーの選択した情報が「Ｗｅｂ情報」ではないと判定した場合（ステップＳ４１において「Ｎｏ」の場合）には、ユーザーの選択した情報が「メモ情報」であるか否かを判定し（ステップＳ４７）、ユーザーがメモ情報を選択している場合（ステップＳ４７において「Ｙｅｓ」の場合）には、メモ情報入力画面（例えば、ソフトウエア―キーボード）を投写する（ステップＳ４８）。
【０１０１】
そして、ユーザーが何らかの制御動作（例えば、ソフトウエア―キーボード上でユーザーが文字などを入力する動作）を行ったか否かを判定し（ステップＳ４９）、何らかの制御動作を行ったと判定した場合（ステップＳ４９において「Ｙｅｓ」の場合）には、その制御動作に応じた画面制御を行う（ステップＳ５０）。この場合の画面制御は、ユーザーの動作を撮像部１３０が撮像し、制御部５５０は撮像部１３０から出力される撮像データに基づいてメモ情報を投写するような制御である。
【０１０２】
一方、上述したような制御動作を行っていないと判定した場合（ステップＳ４９において「Ｎｏ」の場合）には、メニュー選択画面から選択されている選択画像の投写終了指示があるか否かを判定する（ステップＳ４５）。ステップＳ４５において、選択画像投写終了指示でない場合（ステップＳ４５において「Ｎｏ」の場合）には、「Ｃ２」のパスに進んでステップＳ４８に戻り、メモ情報入力画面投写を継続する。なお、ステップＳ４５において、選択画像投写終了指示がある場合（ステップＳ４５において「Ｙｅｓ」の場合）には、上記同様であるので、説明は省略する。
【０１０３】
また、図１０におけるステップＳ４７おいて、ユーザーの選択した情報が「メモ情報」ではないと判定した場合（ステップＳ４７において「Ｎｏ」の場合）には、ＴＶ放送を投写するとともに、音声出力部１４０を動作（オン）させる（ステップＳ５１）。そして、ユーザーによって何らかの制御動作（例えば、チャンネルの切りり替え動作など）が行われたか否かを判定し（ステップＳ５２）、何らかの制御動作が行われたと判定した場合（ステップＳ５２において「Ｙｅｓ」の場合）には、その制御動作に応じた画面制御を行う（ステップＳ５３）。この場合、ユーザーが指定したチャンネルの画像を投写する。
【０１０４】
一方、上述したような制御動作を行っていないと判定した場合（ステップＳ５２において「Ｎｏ」の場合）には、メニュー選択画面から選択されている選択画像の投写終了指示があるか否かを判定する（ステップＳ４５）。ステップＳ４５において、選択画像投写終了指示でない場合（ステップＳ４５において「Ｎｏ」の場合）には、「Ｃ３」のパスに進んでステップＳ５１に戻り、ＴＶ放送の投写を継続する。なお、ステップＳ４５において、選択画像投写終了指示がある場合（ステップＳ４５において「Ｙｅｓ」の場合）には、上記同様であるので、説明は省略する。
【０１０５】
このように、実施形態２に係る照明装置２０においては、投写すべき画像の種類を選択可能として、選択した種類の画像を投写するようにしているため、実施形態１に係る照明装置１０で得られる効果に加えて、画像投写機能を有する照明装置としての使い道をより多様化することができるという効果が得られる。なお、実施形態２に係る照明装置２０においては、「Ｗｅｂ情報」、「ＴＶ放送」、「メモ情報」の３種類の画像を選択可能としたが、これらは一例であって、選択可能な画像の種類はこれらの種類に限定されるものではない。例えば、実施形態２に係る照明装置２０を学習机に取り付けることを考えれば、ＴＶ放送は選択可能な画像の種類から除外することが好ましい場合もある。
【０１０６】
［実施形態３］
図１１は、実施形態３に係る照明装置３０を説明するために示す図である。図１１（ａ）は照明部１００及び画像投写部２００を収納部７４０から取り出した状態（使用可能状態という）となっている場合を示す図であり、図１１（ｂ）は照明部１００及び画像投写部２００を収納部７４０に収納した状態（非使用状態という）となっている場合を示す図である。図１２は、実施形態３に係る照明装置３０の主にアーム部３５０を拡大して示す図である。
【０１０７】
実施形態３係る照明装置３０は、図１１及び図１２に示すように、照明部１００、画像投写部２００、操作部５００などの構成要素に加えて、照明部１００を支持する支持体７２０を有している。支持体７２０は、照明対象となる面を有するとともに、照明部１００及び画像投写部２００の収納が可能な収納部７４０を有している。また、照明部１００と収納部７４０との間にはアーム部３５０が介在されている。
【０１０８】
実施形態３に係る照明装置３０においては、支持体７２０は机であって、この場合は、机は「会議用テーブル」であるとする。このため、以下では、支持体７２０を「会議用テーブル７２０」ともいう。なお、この場合、照明対象となる面は、会議用テーブル７２０の天板７３０の表面７３１（机上面７３１ともいう）となる。また、図１１においては、会議用テーブル７２０は、天板７３１が長方形となっているが、長方形に限られるものではなく、正方形、円形など種々の形状であってもよい。
【０１０９】
会議用テーブル７２０は、収納部７４０と照明部１００との間に介在されているアーム部３５０によって照明部１００を支持している。アーム部３５０は自在アームの一種であり、照明部１００及び画像投写部２００を収納部７４０に収納した非使用状態と、照明部１００及び画像投写部２００を収納部７４０から取り出した使用可能状態とのうちのいずれかの状態に選択的に設定可能とするものである。なお、アーム部３５０の構造などについては後述する。
【０１１０】
また、実施形態３に係る照明装置３０においては、実施形態１に係る照明装置１０及び実施形態２に係る照明装置２０と同様に、画像投写部２００は、照明部１００に一体化されている。このため、収納部７４０は、画像投写部２００が照明部１００に一体化された状態で、照明部１００及び画像投写部２００を収納可能としている。なお、収納部７４０は、会議用テーブル７２０における机上面７３１の中央部に設けられているものとする。
【０１１１】
アーム部３５０は、図１２に示すように、先端部に照明部１００が取り付けられている第１アーム３５１と、第１アーム３５１を支持する第２アーム３５２とを有している。第２アーム３５２は、図１２における矢印ａ−ａ’方向に所定範囲の角度（ほぼ９０度とする）で回転自在となるように、当該第２アーム３５２の基部（図示せず）が、収納部７４０内に設けられている支持機構（図示せず）によって支持されている。
【０１１２】
また、第２アーム３５２は、第１アーム３５１を伸縮自在に支持しており、それによって、第１アーム３５１を第２アーム３５２の内部に収納したり、第２アーム３５２から引き出したりすることができる。
【０１１３】
また、第１アーム３５１は、照明部１００を第１アーム３５１の中心軸ａｘ１を中心として当該中心軸ａｘ１の軸周り（矢印ｂ−ｂ’方向）に所定範囲の角度で回転可能となるように支持している。また、第１アーム３５１は、照明部１００の第１アーム３５１側端部と画像投写部２００側端部とを貫く中心軸ａｘ２を中心として、当該中心軸ａｘ２の軸周り（矢印ｃ−ｃ’方向）に所定範囲の角度で回転可能となるように支持している。
【０１１４】
このように、第１アーム３５１が照明部１００を中心軸ａｘ１の軸周り（矢印ｂ−ｂ’方向）に所定範囲の角度で回転可能となるように支持しているため、照明部１００及び画像投写部２００が使用可能状態（図１１に示す状態）となっている場合においては、照明部１００及び画像投写部２００を机上面７３１に沿った平面上で円弧を描くように移動させることができる。これによって、机上面７３１において照明又は投写を行う位置を適宜変えることができる。
なお、画像投写部２００は照明部１００に一体化されているため、例えば、照明部１００を移動させれば画像投写部２００も照明部１００とともに移動し、画像投写部２００を移動させれば照明部１００も画像投写部２００とともに移動する。
【０１１５】
また、第１アーム３５１が照明部１００を中心軸ａｘ２の軸周り（矢印ｃ−ｃ’方向）に所定範囲の角度で回転可能となるように支持しているため、照明部１００及び画像投写部２００が使用可能状態（図１１に示す状態）となっている場合においては、照明部１００及び画像投写部２００の机上面７３１に対する照明角度及び投写角度を所定範囲で任意に変えることができる。
【０１１６】
また、第１アーム３５１は、照明部１００を上下方向に回転可能となるように支持している。具体的には、照明部１００が机上面７３１から離れる方向（上方向：矢印ｄ方向）又は机上面７３１に向かう方向（下方向：矢印ｄ’方向）に所定範囲の角度で回転転可能とするように照明部１００を支持している。
【０１１７】
第１アーム３５１が照明部１００をこのように支持していることにより、照明部１００及び画像投写部２００の机上面７３１に対する照明角度及び投写角度を所定範囲で任意に変えることができる。また、照明部１００及び画像投写部２００を収納部７４０に収納する際に、照明部１００及び画像投写部２００を折り畳むことができる。
【０１１８】
すなわち、照明部１００及び画像投写部２００を収納部７４０に収納する際には、照明部１００を机上面７３１に向かう方向（矢印ｄ’方向）にほぼ９０度回転させた状態とする。これにより、照明部１００に設けられている照明用光源１１０が第１アーム３５１の側面部３５１ａに近接して平行に対向する状態となる。
この状態から第１アーム３５１を第２アーム３５２内に収納すると、照明部１００に設けられている照明用光源１１０は第２アーム３５２の側面部３５２ａに近接して平行に対向する状態となる。なお、照明部１００を机上面７３１に向かう方向にほぼ９０度回転させた状態とする操作は、第１アーム３５１を第２アーム３５２内に収納したあとに行ってもよい。
【０１１９】
なお、水平状態となっている照明部１００を机上面７３１に向かう方向（矢印ｄ’方向）にほぼ９０度回転させた状態、つまり、照明部１００がアーム部３５０に近接して対向する状態を、以下では「照明部１００を折り畳んだ状態」又は「照明部１００が折り畳まれた状態」というように表記する。
【０１２０】
以上説明したように、アーム部３５０は、伸縮及び折り畳みの両方が可能となっており、このようなアーム部３５０を用いることによって、照明部１００及び画像投写部２００を非使用状態と使用可能状態とのうちのいずれかの状態に選択的に設定可能とすることができる。なお、照明部１００及び画像投写部２００を非使用状態と使用可能状態とのうちのいずれかの状態に選択的に設定可能とする操作の具体例については後述する。
【０１２１】
ところで、実施形態３に係る照明装置３０における照明部１００の構成、画像投写部２００の構成及び操作部５００の構成などについては、実施形態１に係る照明装置１０と同様の構成（例えば、図１及び図２参照）を有するものとし、実施形態１に係る照明装置１０と同一構成要素には同一符号が付されている。また、実施形態３に係る照明装置３０において各種の電気的な制御を行うための構成及びその制御動作についても実施形態１に係る照明装置１０と同様に実施することがきる（例えば、図３及び図５参照）。
【０１２２】
図１３及び図１４は、照明部１００及び画像投写部２００を非使用状態と使用可能状態とのうちのいずれかの状態に選択的に設定可能とするための操作例について説明する図である。なお、実施形態３に係る照明装置３０においては、画像投写部２００が照明部１００に一体化されているため、図１３及び図１４において、照明部１００及び画像投写部２００を非使用状態と使用可能状態とのいずれかの状態とするための操作の説明は、照明部１００又は画像投写部２００のうちのいずれかの操作によって行うものとする。
【０１２３】
図１３（ａ）は、照明部１００及び画像投写部２００が非使用状態となっている場合を示す図であり、このような非使用状態においては、第１アーム３５１が第２アーム３５２内に収納され、かつ、第２アーム３５２が折り畳まれた状態で収納部７４０に収納されており、また、照明部１００及び画像投写部２００も折り畳まれた状態で収納部７４０に収納されている。このような非使用状態においては、第２アーム３５２及び照明部１００及び画像投写部２００は、机上面７３１（図１１参照）から突出した状態とならないようにすることが好ましい。
【０１２４】
図１３（ａ）の状態から、画像投写部２００を矢印ｄ方向に回転させながら第２アーム３５２を矢印ａ方向に回転させると（図１３（ｂ）参照）、やがて、第２アーム３５２は直立した状態となる（図１３（ｃ）参照）。この状態で、第１アーム３５１を第２アーム３５２から上方（矢印ｅ方向）に引き出す（図１４（ａ）参照）。そして、机上面７３１において、照明を行おうとする位置又は画像を投写しようとする位置に、照明部１００及び画像投写部２００が対向するように画像投写部２００を水平面上で中心軸ａｘ１を中心に例えば反時計方向（矢印ｂ’方向）に９０度回転させる。
【０１２５】
このような操作を行うことにより、照明部１００及び画像投写部２００は、図１４（ｂ）に示すような状態となる。図１４（ｂ）に示す状態は、図１１及び図１２と同様の状態（使用可能状態）であり、当該使用可能状態においては、照明対象となる面（机上面７３１）の所定位置に照明又は投写可能となる状態である。なお、図１１及び図１２に示す使用可能状態において、画像投写部２００が画像の投写を行う場合の投写範囲は、照明対象となる面（机上面７３１）の大きさなどによって、適宜設定可能であるが、例えば、Ａ４サイズ相当からＡ３サイズ相当程度が適当である。
【０１２６】
一方、図１４（ｂ）に示す使用可能状態から、図１３（ａ）に示すような非使用状態とする場合には、逆の操作を行えばよい。すなわち、第１アーム３５１を第２アーム３５２内に収納するとともに照明部１００及び画像投写部２００を折り畳んだ状態として、第２アーム３５２を収納部７４０側（矢印ａ’方向）に倒して収納部７４０に収納する。これによって、図１３（ａ）に示すような非使用状態とすることができる。
【０１２７】
なお、収納部７４０には当該収納部７４０を開閉可能とする蓋（実施形態３に係る照明装置３０においては図示せず）を設けるようにしてもよい。例えば、照明部１００又は画像投写部２００が図１３（ａ）に示すような非使用状態となっているときには、収納部７４０を覆うように蓋をする。そして、照明部１００又は画像投写部２００を使用可能状態とするときには、蓋を開けて図１３及び図１４に示すような操作を行う。
【０１２８】
このような蓋を設けることにより、照明部１００又は画像投写部２００が非使用状態であるときには、机上面７３１全体をほぼフラットにすることができ、机上面７３１を広く使用することができる。また、照明部１００や画像投写部２００を露出させないため、照明部１００や画像投写部２００に埃が付きにくくなる。また、机上面７３１で、飲み物などの液体をこぼしたときにも、液体が照明部１００や画像投写部２００に直接的にかかりにくくなるため、照明部１００や画像投写部２００を保護することができる。
【０１２９】
なお、蓋は、取り外しが可能な構造を有する蓋であってもよく、机上面７３１に沿ってスライド可能な構造を有する蓋であってもよく、一つの辺が天板７３０にヒンジで支持されていて当該ヒンジを軸として所定範囲の角度で回転する構造を有する蓋であってもよい。
【０１３０】
以上説明したように、実施形態３に係る照明装置３０は、照明部１００、画像投写部２００、操作部５００などの構成要素に加えて、照明対象となる面を有するとともに照明部１００及び画像投写部２００の収納が可能な収納部７４０を有した支持体７２０（実施形態３に係る照明装置３０においては会議用テーブル７２０としている）を備えているため、比較的少人数で画像を投写しながら会議を行うような場合に好適なものとなる。
【０１３１】
すなわち、実施形態３に係る照明装置３０においては、会議などを行う際において、例えば、画像を投写する必要がある場合には、支持体としての会議用テーブル７２０の収納部７４０から照明部１００及び画像投写部２００取り出す操作を行うだけで、画像投写部２００を使用可能状態とすることができる。これにより、会議に必要な様々な画像を手軽に適宜最適なサイズ（例えば、Ａ４サイズ相当からＡ３サイズ程度）で会議用テーブル７２０上に投写することができる。
【０１３２】
ちなみに、従来においては、比較的少人数の会議であっても、何らかの画像を見ながら会議をする場合には、画像を表示するすための情報機器としてのパーソナルコンピュータなどをわざわざ会議用テーブル上に設置したり、一般的なプロジェクターでスクリーン上に画像を投写したりする必要があるが、実施形態３に係る照明装置３０においては、このような手間が省ける。
【０１３３】
また、実施形態３に係る照明装置３０においては、画像を会議用テーブル７２０の中央部付近に投写することができる。また、照明部１００及び画像投写部２００は机上面７３１に沿った平面上で所定範囲の角度で回転可能となっている。このため、照明部１００及び画像投写部２００を机上面７３１に沿った平面上で適宜回転させることによって、どの位置に座っている会議参加者も、投写された画像を容易に見ることができる。これにより、会議参加者全員が情報を共有し易くなり、会議をスムーズに進めることができる。
【０１３４】
また、実施形態３に係る照明装置３０においては、支持体７２０としては、会議用テーブルを例示したが、会議用テーブルだけでなく、学習机、オフィス用の机、販売店などの商談用テーブル、金融機関やホテルさらにはレジャー施設などの受け付け窓口に設置されている受付窓口用テーブルなどとすることが可能である。
【０１３５】
例えば、支持体７２０が販売店などの商談用テーブルである場合、顧客が購入を検討している商品について販売担当者が顧客に詳細な説明を行う場合に、説明に必要な画像を商談用テーブルの机上面に投写することができる。これにより、販売担当者は投写された画像を見ながら説明を行うことができ、顧客は投写された画像を見ながら説明を聞くことができる。このため、販売担当者は説明がし易くなり、また、顧客は説明された内容を理解しやすくなる。
【０１３６】
なお、実施形態３に係る照明装置３０においても、光源の明るさの制御や、投写すべき画像を取得するための制御などは実施形態１に係る照明装置１０と同様に行うことができることは勿論である。また、実施形態３に係る照明装置３０においても、実施形態１に係る照明装置１０と同様に、画像の投写を行わずに照明のみを行うこともでき、また、画像投写部２００を照明部１００の補助照明部としても使用することができる。
【０１３７】
なお、実施形態３に係る照明装置３０においては、照明部１００の構成、画像投写部２００の構成及び実施形態３係る照明装置３０の電気的制御は、実施形態１に係る照明装置１０と同様とした場合を例示したが、照明部１００の構成、画像投写部２００の構成及び実施形態３係る照明装置３０の電気的制御は、実施形態２に係る照明装置２０と同様に実施することができる（例えば、図７、図８、図９及び図１０参照）。
【０１３８】
［実施形態４］
図１５は、実施形態４に係る照明装置４０を説明するために示す図である。図１５（ａ）は照明部１００及び画像投写部２００を収納部８４０から取り出した状態（使用可能状態）となっている場合を示す図であり、図１５（ｂ）は照明部１００及び画像投写部２００を収納部８４０に収納した状態（非使用状態）となっている場合を示す図である。
【０１３９】
実施形態４に係る照明装置４０が実施形態３に係る照明装置３０と異なる点は、実施形態３に係る照明装置３０においては、照明部１００を支持するための支持体を机（会議用テーブル７２０）としたが、実施形態４に係る照明装置４０においては、照明部１００を支持するための支持体を壁（実施形態４に係る照明装置４０において「壁８００」とする。）とした点であり、その他は、実施形態３に係る照明装置３０と同じである。このため、同一構成要素には同一符号が付されている。また、この場合、照明対象となる面は、壁８００の表面８１０（以下、壁面８１０という）となる。
【０１４０】
実施形態４に係る照明装置４０においては、壁面８１０に収納部８４０が設けられている。収納部８４０は、図１５に示すように、収納部８４０の長手方向が壁面８１０において左右方向（水平線に沿った方向）となるように設けられている。そして、当該収納部８４０にはアーム部３５０が取り付けられており、当該アーム部３５０には照明部１００が取り付けられている。
【０１４１】
なお、アーム部３５０の構成及びアーム部３５０に対する照明部１００の取り付けの仕方などは、実施形態３に係る照明装置３０と同様であり、また、収納部８４０の構成も実施形態３に係る照明装置３０における収納部７４０と同様である。
【０１４２】
実施形態４に係る照明装置４０においても、照明部１００及び画像投写部２００を使用可能状態又は非使用状態とするための操作は、図１３及び図１４に示す操作によって行うことができる。また、収納部８４０には当該収納部を開閉可能とする蓋（実施形態４に係る照明装置４０においては図示せず）を設けるようにしてもよい。このような蓋を設けることにより、照明部１００又は画像投写部２００が非使用状態であるときには、壁面８１０全体をほぼフラットにすることができる。また、照明部１００や画像投写部２００を露出させないため、埃がかかりにくくなるとともに、照明部１００や画像投写部２００を保護することができる。
【０１４３】
以上説明したように、実施形態４に係る照明装置４０によれば、例えば、壁面８１０の近くに会議用テーブルが設置されていて、当該会議用テーブルを使用して会議を行うような場合には、壁面８１０に設けられている収納部８４０に収納されている照明部１００を収納部８４０から取り出す操作を行うだけで、当該照明部１００及び画像投写部２００を使用可能状態とすることができる。これにより、例えば、比較的少人数で会議を行うような場合、会議に必要な様々な画像を手軽に適宜最適なサイズ（例えば、Ａ４サイズ相当からＡ３サイズ程度）で壁面８１０上に投写することができる。
【０１４４】
また、実施形態４に係る照明装置４０は、会議だけでなく、種々の用途に使用することができる。例えば、公共施設やオフィスなどにおいて、不特定の人に何らかの情報を知らせるために、当該情報を定期間だけ表示するような場合などにも好適なものとなる。
【０１４５】
なお、実施形態４に係る照明装置４０においても、光源の明るさの制御や、投写すべき画像を取得するための制御などは実施形態１に係る照明装置１０と同様に行うことができることは勿論である。また、実施形態４に係る照明装置４０においても、実施形態１に係る照明装置１０と同様に画像の投写を行わずに照明のみを行うこともでき、画像投写部２００を補助照明部としても使用することができる。
【０１４６】
［実施形態４に係る照明装置４０の変形例］
図１６は、実施形態４に係る照明装置４０の変形例を説明するために示す図である。実施形態４に係る照明装置４０の変形例（照明装置４０ａとする。）は、図１６に示すように、収納部８４０をその長手方向が壁面８１０において上下方向（垂直線に沿った方向）となるようにしたものであり、その他は、図１５に示す実施形態４に係る照明装置４０と同様である。図１６に示す照明装置４０ａにおいても、実施形態４に係る照明装置４０と同様に使用することができる。
【０１４７】
[実施形態５]
図１７は、実施形態５に係る照明機能付き机５０を説明するために示す図である。実施形態５に係る照明装置付き机５０は、図１７に示すように、例えば、会議用テーブルであって、照明対象となる面を有する天板と９１０と、天板９１０を支持する天板支持部９２０と、照明対象となる面の照明が可能な照明部１００と、照明対象となる面に画像の投写が可能な画像投写部２００と、各種の操作が可能な操作部５００と、天板９１０に設けられ、照明部１００及び画像投写部２００の収納が可能な収納部９４０と、照明部１００と収納部９４０との間に介在され、照明部１００及び画像投写部２００を収納部９４０に収納した非使用状態と照明部１００及び画像投写部２００を収納部９４０から取り出した使用可能状態とのうちのいずれかの状態に選択的に設定可能とするアーム部３５０とを備えている。
【０１４８】
なお、実施形態５に係る照明機能付き机５０においては、天板支持部９２０は、４本の脚としているが、脚に限られるものではなく、台座部のようなものであってもよい。
【０１４９】
実施形態５に係る照明機能付き机５０において、前述した実施形態３に係る照明装置３０と同一構成要素には同一符号が付されている。このため、照明部１００、画像投写部２００及びアーム部３５０は、実施形態３に係る照明装置３０における照明部１００、画像投写部２００及びアーム部３５０と同じ構成となっている。また、実施形態５に係る照明機能付き机５０に設けられている収納部９４０は、実施形態３に係る照明装置３０における収納部７４０と同じ構成となっている。
【０１５０】
また、実施形態５に係る照明機能付き机５０においては、収納部９４０には、当該収納部９４０を開閉可能とする蓋９５０が設けられている。なお、実施形態５に係る照明機能付き机５０においては、蓋９５０は、取り外しが可能な蓋であるとする。
【０１５１】
また、図１７では示されていないが、実施形態１に係る照明装置１０と同様、照明部１００及び画像投写部２００を電気的に制御する制御部５５０（図３参照）と、電源コンセントに接続可能な接続コードなども備えている。
【０１５２】
ところで、図１７（ａ）は照明部１００及び画像投写部２００が収納部に収納されている状態（非使用状態）で、かつ、収納部９４０が蓋９５０によって覆われている状態を示す図であり、図１７（ｂ）は図１７（ａ）における蓋９５０が取り外された状態を示す図であり、図１７（ｃ）は照明部１００及び画像投写部２００が収納部９４０から取り出された状態（使用可能状態）を示す図である。
【０１５３】
このように構成されている実施形態５に係る照明機能付き机５０においては、照明部１００及び画像投写部２００が非使用状態となっているときは、図１７（ａ）に示すように、天板９１０の表面９１１（机上面９１１ともいう）に設けられている収納部９４０は蓋９５０で覆うことができる。
【０１５４】
このように、収納部９４０を蓋９５０で覆うことにより、机上面９１１全体をほぼフラットにすることができ、机上面９１１を広く使用することができる。また、照明部１００や画像投写部２００を露出させないため、照明部１００や画像投写部２００に埃が付きにくくなる。また、机上面９１１で、飲み物などの液体をこぼしたときにも、液体が照明部１００や画像投写部２００に直接的にかかりにくくなるため、照明部１００や画像投写部２００を保護することができる。
なお、実施形態５に係る照明機能付き机５０においては、蓋９５０は、取り外しが可能な蓋を例示したが、取り外し可能な蓋でなくてもよい。例えば、机上面９１１に沿ってスライド可能な構造を有する蓋であってもよく、一つの辺が天板９１０にヒンジで支持されていて当該ヒンジを軸として所定範囲の角度で回転する構造を有する蓋であってもよい。
【０１５５】
一方、照明部１００及び画像投写部２００を使用する場合には、図１７（ｂ）に示すように、蓋９５０を取り外す。なお、取り外した蓋９５０は、画像投写部２００が投写を行う際に、机上面９１１において投写の邪魔にならない場所に置いておけばよい。続いて、図１７（ｂ）の状態から照明部１００および画像投写部２００を取り出す操作を行う。なお、図１７（ｂ）の状態から照明部１００及び画像投写部２００を取り出す操作は、図１３及び図１４で示した操作と同様の操作を行えばよい。
【０１５６】
図１７（ｂ）の状態から照明部１００及び画像投写部２００を取り出す操作を行うことによって、照明部１００及び画像投写部２００は、図１７（ｃ）に示すように使用可能状態となる。一方、図１７（ｃ）に示す使用可能状態から、図１７（ａ）に示すような非使用状態とする場合には、逆の操作を行えばよい。
【０１５７】
このように構成されている実施形態５に係る照明機能付き机５０は、実施形態３に係る照明装置３０と同様の使い方ができる。このため、実施形態５に係る照明機能付き机５０においても実施形態３に係る照明装置３０と同様の効果が得られる。
【０１５８】
以上、本発明を上記の実施形態に基づいて説明したが、本発明は上記の実施形態に限定されるものではなく、その要旨を逸脱しない範囲において種々の変形実施が可能であり、例えば、次のような変形も可能である。
【０１５９】
（１）上記実施形態１〜４に係る照明装置１０〜４０の外観構成や形状及び実施形態５に係る照明機能付き机５０の外観構成や形状などは、上記各実施形態において示したような外観構成及び形状に限られるものではない。また、実施形態１に係る照明装置１０及び実施形態２に係る照明装置２０においては、照明部１００は自在アーム３００に取り付けられている場合を例示したが、必ずしも自在アーム３００に取り付けられていなくてもよく、机上面など照明対象となる面の照明が可能となるように取り付けられていればよい。
【０１６０】
（２）上記実施形態１〜４に係る照明装置１０〜４０及び実施形態５に係る照明機能付き机５０においては、画像投写部２００が照明部１００に一体化された構造としたが、照明部１００に対して画像投写部２００を別体として用意し、画像投写部２００が照明部１００に対して着脱自在となるような構造としてもよい。画像投写部２００が照明部１００に対して着脱自在となるような構造とする場合には、照明部１００及び画像投写部２００のそれぞれの接合面にはそれぞれ接続部（図示せず）を設ける。そして、画像投写部２００を照明部１００に取り付ける場合には、画像投写部２００側の接続部を照明部１００側の接続部に接合させることによって画像投写部２００と照明部１００とが構造的にもまた電気的にも接続された状態となるようにする。なお、この場合、外部との通信を可能とする通信機能は画像投写部２００の側に設けるようにしてもよい。
【０１６１】
また、画像投写部２００を照明部１００に対して別体として用意する場合、画像投写部２００は、ランプ型としてもよい。この場合、照明部１００及び画像投写部２００のそれぞれの接続部としては、例えば、照明部１００の側には、一般的な白熱電球の取り付けが可能な電球取り付け用ソケットなどを設け、画像投写部２００側には一般的な白熱電球と同様の接続具（口金）を設けて、白熱電球を取り付ける場合と同様の取り付け方で画像投写部２００を照明部１００に取り付け可能とするようにしてもよい。
【０１６２】
図１８は、画像投写部２００をランプ型とした場合を説明するために示す図である。なお、図１８においては、照明部１００は実施形態１に係る照明装置１０における照明部１００とほぼ同様の構成を有するものとして説明するが、上記実施形態２〜４に係る照明装置２０〜４０及び実施形態５に係る照明機能付き机５０における照明部１００とほぼ同様の構成を有する場合にも実施可能である。
【０１６３】
図１８に示すように、照明部１００には、電球取り付け用ソケット１９０を設け、画像投写部２００には、電球取り付け用ソケット１９０に接続可能な接続具としての口金２５０を有している。このような構成とすることにより、画像投写部２００を照明部１００に取り付ける際は、一般的な白熱電球を取り付ける場合と同様に、画像投写部２００を照明部１００に取り付けることができる。なお、画像投写部２００の光学系などの構成は実施形態１に係る照明装置１０と同様の構成とすることができる。また、電気的な制御系の構成も実施形態１に係る照明装置１０及び実施形態２に係る照明装置２０と同様とすることができる。なお、この場合、通信機能などは画像投写部２００の側に設けるようにしてもよい。
【０１６４】
また、図１８に示すように、画像投写部２００をランプ型とした場合、あるいは、ランプ型に限らず、画像投写部２００を照明部１００とは別体として、照明部１００に着脱自在とする場合には、実施形態３に係る照明装置３０における収納部７４０、実施形態４に係る照明装置４０における収納部８４０及び実施形態５に係る照明機能付き机５０における収納部９４０は、照明部１００に加えて別体となっている画像投写部２００をも収納可能となるような構造とすることが好ましい。
【０１６５】
このように、上記各収納部７４０，８４０，９４０が、画像投写部２００を照明部１００に装着したまま収納部７４０，８４０，９４０に収納可能な構造とする場合、画像投写部２００を照明部１００に装着した状態のまま収納部７４０，８４０，９４０に収納可能とするとともに、画像投写部２００を照明部１００に装着しない状態（別体とした状態）においても当該画像投写部２００を収納部７４０，８４０，９４０に収納可能とすることが好ましい。これにより、別体となっている画像投写部２００の保管場所を確保することができ、画像の投写を行う場合、他の保管場所から当該画像投写部２００を持ってくる必要がなくなるため、使い勝手に優れたものとなる。
【０１６６】
（３）フォーカス調整の方法としては、画像投写部２００の投写レンズ２３０として、電極を有し、当該電極に印加される電圧の大きさに応じて伸縮（厚みが変化）し、それにより、焦点距離の調整（フォーカス調整という。）が可能なレンズを用いてもよいし、デジタルカメラ等に採用されているサーボモータを用いたオートフォーカス調整機能を採用することも可能である。なお、電極を有したレンズは公知であり、例えば、２０ボルトの電圧を電極に印加すると、レンズの厚みが７５０マイクロメートルから３７５マイクロメートルにまで変化するものなどが存在する。投写レンズ２３０としてこのようなレンズを用いることにより、距離計測部１２０で計測された投写面（例えば、図４における机上面７１０）までの距離に応じた電圧を電極に与えることによって、フォーカス調整を自動的に行うことができる。
【０１６７】
(４)上記実施形態２に係る照明装置２０においては、画像投写部２００に対する各種の指示（メニュー選択画面からのメニュー選択指示など）などはユーザーが行う動作を撮像部１３０によって撮像し、その撮像画像データに基づいて制御部５５０がユーザーの動作に対応した制御を行うようにしている。一方、画像投写開始及び終了の指示は、画像投写開始スイッチ５２０のオン／オフによって行うようにしているが、画像投写開始及び画像投写終了の指示もユーザーが何らかの動作を行い、ユーザーが行う動作を撮像部１３０によって撮像し、その撮像画像データに基づいて制御部５５０がユーザーの動作に対応した制御（画像投写開始及び画像投写終了）を行うようにしてもよい。
【０１６８】
これは、実施形態１に係る照明装置１０、実施形態３及び実施形態４に係る照明装置３０，４０及び実施形態５に係る照明機能付き机５０においても同様であり、この場合、実施形態１に係る照明装置１０、実施形態３及び実施形態４に係る照明装置３０，４０及び実施形態５に係る照明機能付き机５０においても実施形態２に係る照明装置２０と同様に、撮像部１３０を設けることによって実現可能である。
【０１６９】
（５）上記実施形態１に係る照明装置１０及び実施形態２に係る照明装置２０においては、当該実施形態１に係る照明装置１０及び実施形態２に係る照明装置２０を学習机に使用した場合を例示したが、実施形態１に係る照明装置１０及び実施形態２に係る照明装置２０は学習机だけではなく、例えば、オフィス用の机、会議用のテーブルなど、様々な分野で使用可能となる。
【０１７０】
（６）実施形態３に係る照明装置３０、実施形態４に係る照明装置４０及び実施形態５に係る照明機能付き机５０において用いるアーム部３５０は、伸縮及び折り畳みが可能な構造（例えば、図１２参照）としたが、このような構造のものに限られるものではなく、様々な構造のものを採用することができる。例えば、実施形態３に係る照明装置３０を例にとった場合、アーム部３５０は、複数段の折り畳みが可能な構造とすれば、伸縮する構造を有していなくても、照明部１００及び画像投写部２００を収納部７４０に収納可能とすることができる。また、机の構造によっては、折り畳み構造を有していなくても、伸縮する構造のみで照明部１００及び画像投写部２００を収納部７４０に収納可能とすることができる場合もある。また、照明部１００及び画像投写部２００を収納部７４０への収納する動作や収納部７４０から取り出す動作を電動で行うようにしてもよい。
【０１７１】
（７）上記各実施形態においては、光変調素子とした液晶光変調素子を用いた場合を例示したが、これに限られるものではなく、デジタルマイクロミラーデバイスを用いたものであってもよい。
【符号の説明】
【０１７２】
１０，２０，３０，４０，４０ａ・・・照明装置、５０・・・照明機能付き机、１００・・・照明部、１１０・・・照明用光源、１２０・・・距離計測部、１３０・・・撮像部、１４０・・音声出力部、２００・・画像投写部、２１０・・・光源部、２１１・・・画像投写用光源、２２０・・・液晶光変調素子、２３０・・・投写レンズ、３００，３５０・・・・アーム部、３５１・・・第１アーム、３５１ａ・・・第１アーム３５１の側面部、３５２・・・第２アーム、３５２ａ・・・第２アーム３５２の側面部、４００・・・・固定部、５００・・・操作部、５１０・・・メインスイッチ、５２０・・・画像投写開始スイッチ、５５０・・・制御部、７００・・・学習机、７１０・・・机上面、７２０・・・支持体（会議用テーブル）、７３１・・・机上面（天板７３０の表面７３１）、７４０，８４０，９４０・・・収納部、８００・・・支持体（壁）、８１０…壁の表面（壁面）、９１０・・・天板、９１１・・・天板の表面（机上面）、９２０・・・脚部
【図１】
2013152922.tif 000003
【図２】
2013152922.tif 000004
【図３】
2013152922.tif 000005
【図４】
2013152922.tif 000006
【図５】
2013152922.tif 000007
【図６】
2013152922.tif 000008
【図７】
2013152922.tif 000009
【図８】
2013152922.tif 000010
【図９】
2013152922.tif 000011
【図１０】
2013152922.tif 000012
【図１１】
2013152922.tif 000013
【図１２】
2013152922.tif 000014
【図１３】
2013152922.tif 000015
【図１４】
2013152922.tif 000016
【図１５】
2013152922.tif 000017
【図１６】
2013152922.tif 000018
【図１７】
2013152922.tif 000019
【図１８】
2013152922.tif 000020